【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）であって、
プロセッサと、
前記プロセッサと電子通信を行うメモリとを含み、前記メモリに保存される命令は、
複数のサービングセルによって前記ＵＥを構成するためのシグナリングを受信するために実行可能であり、
前記複数のサービングセルの各々は第１のアップリンク／ダウンリンク（ＵＬ／ＤＬ）構成によって構成され、
前記メモリに保存される命令は、さらに
サービングセルに対するダウンリンク（ＤＬ）−参照ＵＬ／ＤＬ構成を確定し、かつ
前記ＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を送るために実行可能であり、
もし前記サービングセルがセカンダリセルであり、かつ動的ＵＬ／ＤＬ再構成を可能にする付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する前記付加的情報に含まれるＵＬ／ＤＬ構成に基づいて確定される、ＵＥ。
【請求項２】
もし前記プライマリセルが動的ＵＬ／ＤＬ再構成を可能にする前記付加的情報によって構成されていなければ、前記プライマリセルＵＬ／ＤＬ構成は前記プライマリセルの前記第１のＵＬ／ＤＬ構成である、請求項１に記載のＵＥ。
【請求項３】
もし前記プライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項１に記載のＵＥ。
【請求項４】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成を確定し、前記付加的情報はＵＬ／ＤＬ構成を含む、請求項１に記載のＵＥ。
【請求項５】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項１に記載のＵＥ。
【請求項６】
進化型ノードＢ（ｅＮＢ）であって、
プロセッサと、
前記プロセッサと電子通信を行うメモリとを含み、前記メモリに保存される命令は、
複数のサービングセルによってユーザ機器（ＵＥ）を構成するためのシグナリングを送るために実行可能であり、
前記複数のサービングセルの各々は第１のアップリンク／ダウンリンク（ＵＬ／ＤＬ）構成によって構成されており、
前記メモリに保存される命令は、さらに、
サービングセルに対するダウンリンク（ＤＬ）−参照ＵＬ／ＤＬ構成を確定し、かつ
前記ＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を受信するために実行可能であり、
もし前記サービングセルがセカンダリセルであり、かつ動的ＵＬ／ＤＬ再構成を可能にする付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する前記付加的情報に含まれるＵＬ／ＤＬ構成に基づいて確定される、ｅＮＢ。
【請求項７】
もし前記プライマリセルが動的ＵＬ／ＤＬ再構成を可能にする付加的情報によって構成されていなければ、前記プライマリセルＵＬ／ＤＬ構成は前記プライマリセルの前記第１のＵＬ／ＤＬ構成である、請求項６に記載のｅＮＢ。
【請求項８】
もし前記プライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項６に記載のｅＮＢ。
【請求項９】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成を確定し、前記付加的情報はＵＬ／ＤＬ構成を含む、請求項６に記載のｅＮＢ。
【請求項１０】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項６に記載のｅＮＢ。
【請求項１１】
ユーザ機器（ＵＥ）によって実行される方法であって、
複数のサービングセルによって前記ＵＥを構成するためのシグナリングを受信するステップを含み、
前記複数のサービングセルの各々は第１のアップリンク／ダウンリンク（ＵＬ／ＤＬ）構成によって構成されており、
前記ＵＥによって実行される方法は、さらに、
サービングセルに対するダウンリンク（ＤＬ）−参照ＵＬ／ＤＬ構成を確定するステップと、
前記ＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を送るステップとを含み、
もし前記サービングセルがセカンダリセルであり、かつ動的ＵＬ／ＤＬ再構成を可能にする付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する付加的情報に含まれるＵＬ／ＤＬ構成に基づいて確定される、方法。
【請求項１２】
もし前記プライマリセルが動的ＵＬ／ＤＬ再構成を可能にする付加的情報によって構成されていなければ、前記プライマリセルＵＬ／ＤＬ構成は前記プライマリセルの前記第１のＵＬ／ＤＬ構成である、請求項１１に記載の方法。
【請求項１３】
もし前記プライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項１１に記載の方法。
【請求項１４】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成を確定し、前記付加的情報はＵＬ／ＤＬ構成を含む、請求項１１に記載の方法。
【請求項１５】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項１１に記載の方法。
【請求項１６】
進化型ノードＢ（ｅＮＢ）であって、
複数のサービングセルによってユーザ機器（ＵＥ）を構成するためのシグナリングを送るステップを含み、
前記複数のサービングセルの各々は第１のアップリンク／ダウンリンク（ＵＬ／ＤＬ）構成によって構成されており、
前記ｅＮＢによって実行される方法は、さらに、
サービングセル対するダウンリンク（ＤＬ）−参照ＵＬ／ＤＬ構成を確定するステップと、
前記ＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を受信するステップとを含み、
もし前記サービングセルがセカンダリセルであり、かつ動的ＵＬ／ＤＬ再構成を可能にする付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する前記付加的情報に含まれるＵＬ／ＤＬ構成に基づいて確定される、方法。
【請求項１７】
もし前記プライマリセルが動的ＵＬ／ＤＬ再構成を可能にする付加的情報によって構成されていなければ、前記プライマリセルＵＬ／ＤＬ構成は前記プライマリセルの前記第１のＵＬ／ＤＬ構成である、請求項１６に記載の方法。
【請求項１８】
もし前記プライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項１６に記載の方法。
【請求項１９】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成は確定され、前記付加的情報はＵＬ／ＤＬ構成を含む、請求項１６に記載の方法。
【請求項２０】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項１６に記載の方法。